(57)【要約】【課題】長期間の使用によって生じうる枕の不衛生状態を軽減することができ、また、携行性に優れ、また、良好なクッション性を得ることができる枕用補助具を提供する。【解決手段】枕用補助具１０は、折り畳みおよび組み立て固定可能であって、組み立て固定状態で矩形筒体状に形成される第１〜第４の４つの面状部材１２、１４、１６、１８で構成される。このうち、第１〜第３の面状部材１２、１４、１６の骨格部分が剛性材料で形成され、第１の面状部材１２を挟む第２および第３の面状部材１４、１６を脚として、上面に位置する第１の面状部材１２の枠体１２ａで囲まれた中央部に形成されるゴムベルト２４に、使用状態において枕を載せて用いる。枠体１２ａの二側にクッション部２６、２６が設けられる。【選択図】図１
0003114076.tif 000002
【実用新案登録請求の範囲】
【請求項１】
頭を載せるために用いる枕の補助具であって、
折り畳みおよび組み立て固定可能な少なくとも３つ以上の面状部材で構成され、第１〜３の面状部材の少なくとも骨格部分が剛性材料で形成されるとともに、該第１の面状部材の中央部がクッション性を有する材料で形成され、
組み立て固定状態で、該第１の面状部材を上方に水平に位置させて該第１の面状部材を挟んで対向する該第２および該第３の２つの面状部材を脚として立てて、該第１の面状部材の該中央部に枕を載せて用いることを特徴とする枕用補助具。
【請求項２】
前記第１の面状部材の少なくとも頭が当たる対向する二側にクッション部を設けてなることを特徴とする請求項１記載の枕用補助具。
【請求項３】
組み立て固定状態で矩形筒体状に形成される４つの面状部材で構成され、
組み立て固定状態で前記第１の面状部材と対向する第４の面状部材の全面が、前記第１の面状部材とは異なる程度のクッション性を有する材料で形成されてなることを特徴とする請求項１または２記載の枕用補助具。
【考案の詳細な説明】
【技術分野】
【０００１】
本考案は、頭を載せるために用いる枕に関するものである。
【背景技術】
【０００２】
枕は、通常、頭を乗せて休めるために用いるものを意味するが、実際には、これに限らず、脚枕、腰枕、手枕等、身体の種々の部位を乗せて休めるためにも用いられており、特に最近では、抱き枕も賞用されているほどである。
しかしながら、これら各種の枕の中で、その主なものが、全ての人がほとんど例外なく毎日必ず使用する、頭を載せるための枕であることは間違いない。
【０００３】
この頭を載せるための枕（以下、これを単に枕という。）は、安眠を得るうえで必須のものである。
人の骨格はＳ字状であり、睡眠時においてもこの骨格構造を保つ必要がある。平面上に上向きに寝た状態で、頚椎のある首の部分と平面との間にもっとも深い部分（頸椎弧の深さと呼ばれる。）で１〜６ｃｍ程度の隙間を生じるが、この頸椎弧の深さを適度に支える枕が好ましく、言い換えると、頸椎弧の深さ寸法が、好ましい枕の高さ寸法といわれている。
【０００４】
高さの合わない枕を用いると、不眠の原因となり、さらには、肩こり、頭痛、手足のしびれ、首痛、めまい、顔のむくみ、いびき等の原因ともなりえる。
また、クッション性が適度でない、すなわち、頭を支える弾力性が適当でない枕を用いる場合も、上記の場合と同様に不眠等の原因となりえる。
【０００５】
安眠することができ、健康に優れる枕を得るために、上記枕の高さや素材等について幅広い検討がなされ、実用化されていることは周知のとおりであり、その例は枚挙に暇がない。
【０００６】
枕の高さを工夫した例をいくつか挙げると、例えば、高分子吸収剤を透水性を有する不織布で形成された袋体に収容し、高分子吸収剤への吸水量を加減することで高分子吸収剤の膨張量を変え、これにより、枕の高さを調整する技術が提案されている（特許文献１参照。）。
また、枕本体に複数の溝を設けて巻き取り可能な構造とし、巻き具合を調整することで、枕の高さを調整する技術が提案されている（特許文献２参照。）。
また、台枠の両側に１対の脚フレームを設け、脚フレーム間に複数本のベルトを平行に架橋し、ベルトの長さと高さを可変する手段を備えた枕が提案されている（特許文献３参照。）。
【特許文献１】特開２００５−３４４８９号公報
【特許文献２】特開２００２−４２５号公報
【特許文献３】特開２００５−６６２５４号公報
【考案の開示】
【考案が解決しようとする課題】
【０００７】
しかしながら、上記従来の枕は、いずれも、それぞれに特有の長所を有するものの、避けられない短所がある。
例えば、高分子吸収剤を使用した枕の場合、高分子吸収剤に水を吸わせる等して枕の高さを調整する操作が煩雑であるように思われる。また、通常の枕を長期間連続使用したときに枕内の素材が汚染されて不衛生となりやすいのと同様に、使用状態によっては衛生上好ましくないものとなるおそれがある。
また、巻き具合を調整する枕の場合、携行できるようにするために、いわゆる空気枕タイプにすると、取り扱いが煩雑であるとともに、良好なクッション性を得られないものと思われる。
また、ベルトを設けた枕の場合、高さ等を調整するための機構が複雑となり、また、ベルト上に頭を直接載せるため、必ずしも良好なクッション性を得ることができないものと思われる。
これら以外の従来の枕についても、これらのものと同様に一長一短を有するものと思われる。
【０００８】
本考案は、上記の課題に鑑みてなされたものであり、長期間の使用によって生じうる枕の不衛生状態を軽減することができ、また、携行性に優れ、また、良好なクッション性を得ることができる枕用補助具を提供することを目的とする。
【課題を解決するための手段】
【０００９】
本考案に係る枕用補助具（枕台）は、頭を載せるために用いる枕の補助具であって、
折り畳みおよび組み立て固定可能な少なくとも３つ以上の面状部材で構成され、第１〜３の面状部材の少なくとも骨格部分が剛性材料で形成されるとともに、該第１の面状部材の中央部がクッション性を有する材料で形成され、
組み立て固定状態で、該第１の面状部材を上方に水平に位置させて該第１の面状部材を挟んで対向する該第２および該第３の２つの面状部材を脚として立てて、該第１の面状部材の該中央部に枕を載せて用いることを特徴とする。
【００１０】
また、本考案に係る枕用補助具は、前記第１の面状部材の少なくとも頭が当たる対向する二側にクッション部を設けてなることを特徴とする。
【００１１】
また、本考案に係る枕用補助具は、組み立て固定状態で矩形筒体状に形成される４つの面状部材で構成され、
組み立て固定状態で前記第１の面状部材と対向する第４の面状部材の全面が、前記第１の面状部材とは異なる程度のクッション性を有する材料で形成されてなることを特徴とする。
【考案の効果】
【００１２】
本考案の枕用補助具は、クッション性を有する材料で形成された第１の面状部材の中央部に高さの低い枕を載せて用いることができるため、良好なクッション性を確保しつつ、通常の高さの高い枕を用いる場合に比べて第１の面状部材に載せて用いる枕が不衛生となる程度が軽減される。
また、本考案の枕用補助具の折り畳みおよび組み立て固定は、それぞれの面状部材を蝶番等の部材とぱっちん錠等を用いて行うことができ、また、必要に応じて弾性材料で形成した面状部材で他の面状部材と接合するため、取り扱いが容易であり、折り畳んだ状態で高さの低い枕とともに携行する際の携帯性（携行性）に優れる。
【考案を実施するための最良の形態】
【００１３】
本考案の実施の形態について、以下に説明する。
【００１４】
本考案に係る枕用補助具は、頭を載せるために用いる枕の補助具である。
本考案に係る枕用補助具は、折り畳みおよび組み立て固定可能な少なくとも３つ以上の面状部材で構成される。この場合、枕用補助具を７つ以上の面状部材で構成してもよいが、その場合に得られる多面体構造のものは枕用補助具としては無駄な部分を含み、使い勝手が悪くなる。このため、実用上は、最大６つの面状部材で構成した六面体構造とする。
このとき、枕用補助具を少なくとも骨格部分を剛性材料で形成した第１〜３の面状部材で構成すると、組み立て状態において、２つ脚を持つ台状の枕用補助具が得られる。そして、必要に応じて、２つ脚の台状の枕用補助具の面状部材のない面（空間）にさらに、１〜３つの面状部材を設けることができる。このとき、第１〜３の面状部材によって形状安定性は既に確保されているため、追加する面状部材は、構造部材としての剛性を必要とせず、例えば弾性材料で形成してもよく、あるいはまた、例えば開口の多い装飾薄板状に形成してもよい。
本考案に係る枕用補助具は、第１の面状部材の中央部がクッション性を有する材料で形成され、組み立て固定状態で、第１の面状部材を上方に水平に位置させて該１の面状部材を挟んで対向する第２および第３の２つの面状部材を脚として立てて、第１の面状部材の中央部に枕を載せて用いる。
【００１５】
本考案の枕用補助具は、上記のように、第２および第３の２つの面状部材に支えられて一定の高さに位置する、クッション性を有する材料で形成された第１の面状部材に高さの低い枕を載せて用いることができるため、良好なクッション性を確保しつつ、通常の高さの高い枕を用いる場合に比べて第１の面状部材に載せて用いる枕が不衛生となる程度が軽減される。
また、面状部材に開口を形成し、あるいは、不要な面状部材を省略することにより、通風性あるいは通気性が得られることにより、枕が不衛生となる程度がより軽減される。また、枕の蓄熱性が軽減され、安眠が得られる。
また、本考案の枕用補助具の折り畳みおよび組み立て固定は、それぞれの面状部材を蝶番等の部材とぱっちん錠等を用いて行うことができ、また、必要に応じて弾性材料で形成した面状部材で他の面状部材と接合するため、取り扱いが容易であり、折り畳んだ状態で高さの低い枕とともに携行する際の携帯性（携行性）に優れる。
【００１６】
本考案の枕用補助具の一例について、図１および図２を参照して説明する。図１は、組み立て固定状態において、使用状態に配置した枕用補助具を斜め上からみた斜視図であり、図２は、図１の枕用補助具を天地逆にして斜め上からみた斜視図である。
【００１７】
本考案の枕用補助具１０は、折り畳みおよび組み立て固定可能であって、組み立て固定状態で矩形筒体状に形成される第１〜第４の４つの面状部材１２、１４、１６、１８で構成される。このうち、第１〜第３の面状部材１２、１４、１６の骨格部分が剛性材料で形成されるとともに、第１の面状部材１２の中央部がクッション性を有する材料で形成される。矩形筒体状の枕用補助具１０の残りの対向する２面（図1中、手前側および向こう側）には、面状部材が設けられておらず、開口となっている。
ここで、剛性材料の種類は、特に限定するものではなく、木、金属、硬質樹脂等、適度の厚みとすることにより、構造体としての強度を持ち、枕に乗せた頭の荷重に十分耐えかつ耐久性を付与できるものの中から適宜選定して用いることができる。この場合、１つの面状部材の全体を剛性材料で形成してもよく、また、骨格部分となる枠体部のみを剛性材料で形成し、他の部分を開口等としてもよい。このとき、枠体部をパイプ部材で構成してもよい。
【００１８】
第１の面状部材１２は、図１に示すように、使用状態において、上方に水平に位置させて中央部に枕を載せて用いるものである。
第１の面状部材１２は、例えば木製の枠体１２ａの中央部に矩形の開口２０が形成される。枠体１２ａには開口２０内の対向する２箇所に棒部材２２、２２が図１中Ｙ−Ｙ方向に橋架され、棒部材２２、２２間に複数本のゴムベルト２４が図１中Ｘ−Ｘ方向にエンドレスベルト状に張り渡される。これにより、枕使用時に、隣り合うゴムベルト２４、２４間の隙間を介して枕への通気性が確保される。
この場合、ゴムベルトに代えて、クッション性を有する材料である限り、例えば弾性樹脂材料を用いた孔明きシートやネット等のゴムベルト以外の材料を用いることができる。また、複数本のゴムベルトに代えて１本の広幅のゴムベルトを用いてもよく、また、ゴムベルトを開口２０を挟んで枠体１２ａの端部間に直接張り渡してもよい。
枠体１２ａの、使用時に人の頭が当たる対向する二側にクッション部２６、２６が設けられる。クッション部２６、２６は、発泡樹脂、ゴムその他の弾力性（クッション性）を有するものから適宜選択した材料で形成することができる。また、クッション部２６、２６を省略してもよい。
【００１９】
第１の面状部材１２を上方に水平に位置させて、第１の面状部材１２を挟んで対向する二側に第２の面状部材１４および第３の面状部材１６が設けられる。第２の面状部材１４および第３の面状部材１６は、例えば直方体状の板材で形成される。
第２の面状部材１４および第３の面状部材１６は、それぞれ例えば２つずつのパッチン錠２８および１つずつの蝶番３２（図２参照。）で第１の面状部材１２に折り畳み可能に取り付けられる。
【００２０】
この場合、厚みの厚い第２の面状部材１４および第３の面状部材１６の厚み側面と、同じく厚みの厚い第１の面状部材１２の表面端部にパッチン錠２８の部材が取り付けられる。一方、これに対応する、図１中、第１〜第３の面状部材１２、１４、１６の裏面側に蝶番３２が取り付けられる。そして、第２の面状部材１４および第３の面状部材１６を第１の面状部材１２と９０度の角をなすように第２の面状部材１４および第３の面状部材１６を回動させて、第２の面状部材１４および第３の面状部材１６の主面と第１の面状部材１２の厚み側面を突き当てた状態でパッチン錠２８をロックすることで、第２の面状部材１４および第３の面状部材１６は、回動の自由を失い固定される。これにより、第２の面状部材１４および第３の面状部材１６は、第１の面状部材１２を支える脚として機能する。
第２の面状部材１４および第３の面状部材１６の下端には、クッション部２６、２６と同様のクッション部３０、３０が設けられる。クッション部３０、３０はクッション層として機能するとともに、脚の滑り止めとしても機能する。
なお、３つの面状部材１２、１４、１６を折り畳みおよび組み立て固定可能に取り付ける際に、パッチン錠２８や蝶番３２以外の適宜のものを用いることができることはいうまでもない。また、第２の面状部材１４および第３の面状部材１６は、脚としての強度を損なわない範囲で例えば第１の面状部材１２と同様の枠体状等に形成してもよく、これにより、使用する材料が少なくて済み、軽量化されるとともに、使用時に通風性あるいは通気性が得られる。
【００２１】
組み立て固定状態で第１の面状部材１２と対向する第４の面状部材１８は、全面が、第１の面状部材とは異なる程度のクッション性を有する材料で形成される。
すなわち、第２の面状部材１４および第３の面状部材１６の端部間に、例えば１枚のゴムベルト（ゴムシート）が張り渡され、第４の面状部材１８とされる。なお、この場合、ゴムベルトの自由端側両側は補強用のゴムカバーで被覆される。
枕用補助具１０は、図２に示すように、枕用補助具１０を天地逆にして、第４の面状部材１８を上面に配置すると、図１における第１の面状部材１２と同様に、第４の面状部材１８を枕の座面として用いることができる。
このため、同一人が使用するときであっても体調の変化等により枕のクッション性に違和感があるときや、異なる人が枕を使うとき等において、枕用補助具１０を必要に応じて天地逆にして用いることで、１つの枕用補助具１０および１つの枕でクッション性を容易に変更することができる。
【００２２】
組み立て固定状態の枕用補助具１０を使用するとき、第１の面状部材１２に枕（図示せず。）を載せる。そして、好ましくは、枕を載せた枕用補助具１０全体をカバー（図示せず。）で覆う。
このとき、枕として通常必要な高さの大半は枕用補助具１０で確保されているため、使用する枕は通常のものに比べて高さの低いもので十分であり、逆に、通常の高い枕を使用することはむしろ好ましくない。使用する枕の高さが低くクッション性が必ずしも十分でない場合であっても、枕とクッション部２６、２６が協働することで、良好なクッション性を得ることができる。高さの低い枕を用いることで、使用する枕の素材の量が少なく、枕内の通気性が得やすいこと等により、ダニ発生防止等の衛生面で好ましい。
また、枕用補助具１０の内部は空洞であり、かつ、通気性、通風性が得られる構造であるため、高さの低い枕が蓄熱しにくく、安眠しやすい。このとき、頭をさらに冷やしたいときには、枕として、アイスノン（登録商標）等の水枕や氷枕等を用いてもよい、
また、枕が第１の面状部材１２の開口２０に設けられた複数本のゴムベルト２４上に適度の深さ落ち込むため、使用時に、枕が枕用補助具１０からずれ落ちるおそれが少ない。
【００２３】
使用しないときに組み立て固定状態の枕用補助具１０を折り畳むには、図２に示す状態から、パッチン錠２８のロックを解除したうえで、第２の面状部材１４および第３の面状部材１６を矢印Ｒ方向に回動させる。そして、第４の面状部材１８を撓ませながら第２の面状部材１４および第３の面状部材１６を第１の面状部材１２上に折り重ねる。
このため、簡易な操作で、枕用補助具１０を使用状態および折り畳み状態に変えることができる。
また、折り畳んだ状態の枕用補助具１０および高さの低い枕は、全体としてコンパクトであるため、いわゆるマイ枕（専用枕：ｍｙ  ｐｉｌｌｏｗ）として旅行等に携行するときに、便利である。
【図面の簡単な説明】
【００２４】
【図１】組み立て固定状態において、使用状態に配置した本考案の枕用補助具を斜め上からみた斜視図である。
【図２】図１の枕用補助具を天地逆にして斜め上からみた斜視図である。
【符号の説明】
【００２５】
１０  枕用補助具
１２、１４、１６、１８  面状部材
１２ａ  枠体
２２  棒部材
２４  ゴムベルト
２６、３０  クッション部
２８  パッチン錠
３２  蝶番
【図１】
0003114076.tif 000003
【図２】
0003114076.tif 000004